Podtech/llm-jp-corpus-v4-ja_patent huggingface dataset:
【手続補正書】
【提出日】平成30年1月17日(2018.1.17)
【手続補正１】
【補正対象書類名】特許請求の範囲
【補正対象項目名】全文
【補正方法】変更
【補正の内容】
【特許請求の範囲】
【請求項１】
遊技を行なうことが可能な遊技機であって、
変動表示に対応する特定表示を表示可能な特定表示手段と、
少なくとも前記特定表示の一部の視認が困難となる所定演出を実行可能な所定演出実行手段と、
前記特定表示の表示態様の変化を示唆する示唆演出として、第１示唆演出と前記第１示唆演出とは異なる第２示唆演出とのうち少なくとも一方を、前記特定表示の表示態様が変化する前に実行可能な示唆演出実行手段と
を備え、
前記第２示唆演出は、前記第１示唆演出に比べて前記特定表示の表示態様が変化する場合における変化後の前記特定表示の表示態様が認識しやすいものであり、
前記所定演出が実行されるときは前記所定演出が実行されないときに比べて前記第２示唆演出が実行されにくく、
前記特定表示は、前記所定演出の実行が終了した後に変化可能であることを特徴とする遊技機。
【手続補正２】
【補正対象書類名】明細書
【補正対象項目名】０００７
【補正方法】変更
【補正の内容】
【０００７】
（Ａ）上記目的を達成するため、本発明の一態様による遊技機は、遊技を行なうことが可能な遊技機であって、変動表示に対応する特定表示を表示可能な特定表示手段と、少なくとも前記特定表示の一部の視認が困難となる所定演出を実行可能な所定演出実行手段と、前記特定表示の表示態様の変化を示唆する示唆演出として、第１示唆演出と前記第１示唆演出とは異なる第２示唆演出とのうち少なくとも一方を、前記特定表示の表示態様が変化する前に実行可能な示唆演出実行手段とを備え、前記第２示唆演出は、前記第１示唆演出に比べて前記特定表示の表示態様が変化する場合における変化後の前記特定表示の表示態様が認識しやすいものであり、前記所定演出が実行されるときは前記所定演出が実行されないときに比べて前記第２示唆演出が実行されにくく、前記特定表示は、前記所定演出の実行が終了した後に変化可能である。
（１）上記目的を達成するため、他の態様による遊技機は、遊技を行なうことが可能な遊技機（例えば、遊技機１等）であって、変動表示（例えば、飾り図柄の可変表示等）に対応する特定表示（例えば、保留表示、アクティブ表示等）を表示可能な特定表示手段（例えば、始動入賞記憶表示エリア５Ｈに保留表示を表示させるステップＳ１５０の入賞時演出決定処理、アクティブ表示エリアＡＨＡにアクティブ表示を表示させるステップＳ１７２の可変表示中演出処理等）と、少なくとも前記特定表示の一部の視認が困難となる所定演出（例えば、ステップＳ１７１の可変表示開始設定処理において図２５（Ａ）に示すような決定割合で実行有無が決定される隠ぺい演出（演出態様は例えば図２８参照）等）を実行可能な所定演出実行手段（例えば、ステップＳ１７２の可変表示中演出処理等）と、前記特定表示の表示態様の変化を示唆する示唆演出として、第１示唆演出（例えば、ステップＳ１７１の可変表示開始設定処理において図２５（Ｂ）に示すような決定割合で実行有無が決定される大キャラ演出（演出態様は例えば図２６参照）等）と前記第１示唆演出とは異なる第２示唆演出（例えば、ステップＳ１７１の可変表示開始設定処理において図２５（Ｂ）に示すような決定割合で実行有無が決定される小キャラ演出（演出態様は例えば図２７参照）等）とのうち少なくとも一方を、前記特定表示の表示態様が変化する前に実行可能な示唆演出実行手段（例えば、ステップＳ１７２の可変表示中演出処理等）とを備え、前記第２示唆演出は、前記第１示唆演出に比べて前記特定表示の表示態様が変化する場合における変化後の前記特定表示の表示態様が認識しやすいものであり（例えば、図２７に示した小キャラ演出は、図２６に示した大キャラ演出に比べて保留表示の表示態様が変化する場合における変化後の保留表示の表示態様が認識しやすいものであり）、前記所定演出が実行されているときは前記所定演出が実行されていないときに比べて前記第２示唆演出が実行されにくい（例えば、図２５（Ｂ）に示すように、隠ぺい演出が実行されているときは隠ぺい演出が実行されていないときに比べて小キャラ演出が実行されにくい。図２５（Ｂ）によれば、隠ぺい演出が実行されていないときに小キャラ演出が実行される割合は１５％であるのに対し、隠ぺい演出が実行されているときに小キャラ演出が実行される割合は５％である。）。
【手続補正書】
【提出日】平成30年1月16日(2018.1.16)
【手続補正１】
【補正対象書類名】特許請求の範囲
【補正対象項目名】全文
【補正方法】変更
【補正の内容】
【特許請求の範囲】
【請求項１】
遊技を行う遊技機であって、
遊技者の動作を検出する検出手段と、
遊技者の動作の検出を有効とする期間である検出有効期間内に、前記検出手段によって遊技者の動作が検出されることに応じて、特定演出を実行する特定演出実行手段と
を備え、
前記特定演出実行手段は、
前記特定演出として、演出開始時から特定期間経過後に演出態様が第１態様から第２態様へと変化する演出を実行可能であり、
前記検出有効期間内において遊技者の動作が検出されたタイミングにかかわらず、前記特定演出を前記第１態様で実行した後に前記第２態様へと変化させることが可能であり、
前記特定演出の演出態様が演出開始時から前記第２態様である場合よりも、前記特定演出の演出態様が演出開始時から特定期間経過後に前記第１態様から前記第２態様へと変化する場合の方が、前記有利状態に制御される期待度が高い、
ことを特徴とする遊技機。
【手続補正２】
【補正対象書類名】明細書
【補正対象項目名】０００７
【補正方法】変更
【補正の内容】
【０００７】
（１）上記目的を達成するため本発明に係る遊技機は、遊技を行う遊技機（例えば、パチンコ遊技機１等）であって、遊技者の動作を検出する検出手段（例えば、プッシュボタン３１に対して成された遊技者の操作行為を検知するプッシュセンサ等）と、遊技者の動作の検出を有効とする期間である検出有効期間内に、前記検出手段によって遊技者の動作が検出されることに応じて、特定演出を実行する特定演出実行手段（例えば、遊技者の動作の検出を有効とする期間である検出有効期間内に、プッシュボタン３１Ｂに対して成された遊技者の操作行為がプッシュセンサ３５Ｂによって、図２６の可変表示中演出処理のステップＳ５５７の処理で検出されることに応じて、図２７のボタンカットイン予告演出動作制御処理のステップＳ１２５及びステップＳ１２６、もしくはステップＳ１３０の処理でボタンカットイン予告演出を実行する演出制御用ＣＰＵ１２０等）とを備え、前記特定演出実行手段は、前記特定演出として、演出開始時から特定期間経過後に演出態様が第１態様から第２態様へと変化する演出（例えば、図２３のボタンカットイン予告演出Ａ３、ボタンカットイン予告演出Ｂ３等）を実行可能であり、前記検出有効期間内において遊技者の動作が検出されたタイミングにかかわらず、前記特定演出を前記第１態様で実行した後に前記第２態様へと変化させることが可能であり（例えば、演出態様が第１態様から第２態様へと変化するボタンカットイン予告演出を実行する場合、遊技者の動作の検出を有効とする期間である検出有効期間内にプッシュボタン３１Ｂに対して成された遊技者の操作行為がプッシュセンサ３５Ｂによって検出されるまでの期間に応じて、ボタンカットイン予告演出の開始時から演出態様が変化するタイミングまでの期間である特定期間が変化するため、遊技者の操作行為が検出されたタイミングにかかわらず、演出態様が第１態様から第２態様へと変化すること、又は第１態様の演出期間と、第２態様の演出期間とがそれぞれ予め定められており、いずれの種類のボタンカットイン予告演出が実行されるかに応じて、第１態様の演出期間、即ち、演出開始時から演出態様が第１態様から第２態様へと変化するまでの期間である特定期間が経過するよりも前に、遊技者の動作の検出を有効とする期間である検出有効期間が必ず終わるように、検出有効期間の長さを調整すること等）、前記特定演出の演出態様が演出開始時から前記第２態様である場合よりも、前記特定演出の演出態様が演出開始時から特定期間経過後に前記第１態様から前記第２態様へと変化する場合の方が、前記有利状態に制御される期待度が高いこと（例えば、図２３において、ボタンカットイン予告演出Ａ２よりもボタンカットイン予告演出Ａ３の方が、大当り遊技状態に制御される期待度が高いことや、ボタンカットイン予告演出Ｂ２よりもボタンカットイン予告演出Ｂ３の方が、大当り遊技状態に制御される期待度が高い）を特徴とする。
【手続補正書】
【提出日】平成30年3月26日(2018.3.26)
【手続補正１】
【補正対象書類名】特許請求の範囲
【補正対象項目名】全文
【補正方法】変更
【補正の内容】
【特許請求の範囲】
【請求項１】
ヘンドラウイルス（ＨｅＶ）又はニパウイルス（ＮｉＶ）感染を阻害するための薬剤を同定する方法であって、
（ａ）in vitro細胞群をシダーウイルス（ＣｅｄＶ）及び該薬剤で処理すること、及び
（ｂ）処理された細胞の生育応答を測定すること
を含み、
該薬剤で処理された細胞群の増殖が処理されていないＣｅｄＶ感染細胞群と比較して増加する場合、該薬剤はＨｅＶ又はＮｉＶ感染の阻害剤と同定される、
方法。
【請求項２】
該薬剤がタンパク質である、請求項１に記載の方法。
【請求項３】
該薬剤が抗体である、請求項２に記載の方法。
【請求項４】
該感染細胞がエフリンＢ２遺伝子を発現する、請求項１に記載の方法。
【請求項５】
該感染細胞がエフリンＢ２を発現するように遺伝子改変されている、請求項４に記載の方法。
【請求項６】
ヘンドラウイルス（ＨｅＶ）又はニパウイルス（ＮｉＶ）感染を阻害するための薬剤を同定する方法であって、
（ａ）シダーウイルス（ＣｅｄＶ）に感染していないin vitro細胞群を該薬剤で処理すること、
（ｂ）処理された非感染細胞にＣｅｄＶを接種すること、及び
（ｃ）処理された感染細胞の細胞変性効果（ＣＰＥ）を測定すること、
を含み、
感染細胞におけるＣＰＥの欠如が、該薬剤が、被検体がＨｅＶ又はＮｉＶに曝露した際のＨｅＶ又はＮｉＶの被検体に感染する能力を低減することを示す、
方法。
【請求項７】
該薬剤がタンパク質である、請求項６に記載の方法。
【請求項８】
該薬剤が抗体である、請求項７に記載の方法。
【請求項９】
該非感染細胞がエフリンＢ２を発現する、請求項６に記載の方法。
【請求項１０】
非感染細胞がエフリンＢ２を発現するように遺伝子改変されている、請求項９に記載の９に記載の方法。
【請求項１１】
該感染がＨｅｖ感染である、請求項１に記載の方法。
【請求項１２】
該感染がＮｉｖ感染である、請求項１に記載の方法。
【請求項１３】
該感染がＨｅｖ感染である、請求項６に記載の方法。
【請求項１４】
該感染がＮｉｖ感染である、請求項６に記載の方法。
【手続補正書】
【提出日】平成29年12月19日(2017.12.19)
【手続補正１】
【補正対象書類名】特許請求の範囲
【補正対象項目名】全文
【補正方法】変更
【補正の内容】
【特許請求の範囲】
【請求項１】
光軸と前記光軸に直交する乱視軸とを有する光学部と、
前記光軸から離れた前記光学部の周辺部に設けられ、前記乱視軸が延びる方向を呈示するマーク部と、
を備え、
前記マーク部は第１図柄と第２図柄とを含み、
前記光軸の方向からみて、前記第１図柄と前記第２図柄の中間位置を前記乱視軸が通るように前記マーク部が形成されていることを特徴とする眼内レンズ。
【請求項２】
請求項１に記載の眼内レンズであって、
前記マーク部は更に第３図柄を含み、
前記第３図柄は、前記乱視軸と重なるように、且つ、前記中間位置よりも前記光軸に近い位置に形成されていることを特徴とする眼内レンズ。
【請求項３】
請求項１に記載の眼内レンズであって、
前記マーク部は更に、前記第１図柄および前記第２図柄と分離した第４図柄および第５図柄を含み、
前記第４図柄および第５図柄は、前記第１図柄および前記第２図柄よりも前記光軸に近い位置に形成されており、
前記光軸の方向からみて、前記第４図柄と前記第５図柄の中間位置を前記乱視軸が通るように前記マーク部が形成されていることを特徴とする眼内レンズ。
【手続補正書】
【提出日】平成30年3月28日(2018.3.28)
【手続補正１】
【補正対象書類名】特許請求の範囲
【補正対象項目名】全文
【補正方法】変更
【補正の内容】
【特許請求の範囲】
【請求項１】
遊技領域が形成された遊技盤と、
前記遊技領域の所定位置に設けられ、遊技球の入球が抽選の契機となる始動入賞口と、
前記始動入賞口への入球を契機として、通常遊技より遊技者に有利な状態である特別遊技へ移行するか否かを判定するための抽選値に基づいて当否判定を実行する当否判定手段と、
前記当否判定の結果を示すための図柄が変動表示される図柄表示装置と、
前記図柄の変動表示過程を定める変動パターンを決定する変動パターン決定手段と、
決定された変動パターンにしたがって前記図柄を前記図柄表示装置に変動表示させる表示制御手段と、
演出画像が表示される演出表示装置と、
決定された変動パターンに対応して前記演出表示装置に表示すべき演出を決定する演出決定手段と、
前記演出決定手段により決定された演出を前記演出表示装置に表示させる演出表示制御手段と、
を備え、
前記変動パターンは、主変動パターンのみ、又は、前記主変動パターンと前記主変動パターンの前又は後に付加される１以上の変動付加パターンとから構成され、
前記変動パターン決定手段は、第１のパターン抽選値に基づいて、複数種類の主変動パターンから前記当否判定の結果に応じていずれかを選択するとともに、前記第１のパターン抽選値とは異なる第２のパターン抽選値に基づいて、複数種類の変動付加パターンから１以上を選択する、又は、前記変動付加パターンを付加しないことを選択することにより、前記変動パターンを決定し、
前記演出決定手段は、決定された変動パターンを構成する主変動パターンに対応して前記演出表示装置に表示すべき主演出と、決定された変動パターンを構成する変動付加パターンに対応して前記演出表示装置に表示すべき付加演出とを決定し、
前記付加演出の内容により、前記特別遊技へ移行する期待度及び遊技者への利益態様が示唆され、
前記複数種類の変動付加パターンには、図柄の変動表示時間が共通し、対応する付加演出が異なる複数の共通変動付加パターンが含まれる弾球遊技機。
【手続補正２】
【補正対象書類名】明細書
【補正対象項目名】０００６
【補正方法】変更
【補正の内容】
【０００６】
上記課題を解決するために、本発明のある態様の弾球遊技機は、遊技領域が形成された遊技盤と、遊技領域の所定位置に設けられ、遊技球の入球が抽選の契機となる始動入賞口と、始動入賞口への入球を契機として、通常遊技より遊技者に有利な状態である特別遊技へ移行するか否かを判定するための抽選値に基づいて当否判定を実行する当否判定手段と、当否判定の結果を示すための図柄が変動表示される図柄表示装置と、図柄の変動表示過程を定める変動パターンを決定する変動パターン決定手段と、決定された変動パターンにしたがって図柄を図柄表示装置に変動表示させる表示制御手段と、演出画像が表示される演出表示装置と、決定された変動パターンに対応して演出表示装置に表示すべき演出を決定する演出決定手段と、演出決定手段により決定された演出を演出表示装置に表示させる演出表示制御手段と、を備える。変動パターンは、主変動パターンのみ、又は、主変動パターンと主変動パターンの前又は後に付加される１以上の変動付加パターンとから構成される。変動パターン決定手段は、第１のパターン抽選値に基づいて、複数種類の主変動パターンから当否判定の結果に応じていずれかを選択するとともに、第１のパターン抽選値とは異なる第２のパターン抽選値に基づいて、複数種類の変動付加パターンから１以上を選択する、又は、変動付加パターンを付加しないことを選択することにより、変動パターンを決定し、演出決定手段は、決定された変動パターンを構成する主変動パターンに対応して演出表示装置に表示すべき主演出と、決定された変動パターンを構成する変動付加パターンに対応して演出表示装置に表示すべき付加演出とを決定し、付加演出の内容により、特別遊技へ移行する期待度及び遊技者への利益態様が示唆され、複数種類の変動付加パターンには、図柄の変動表示時間が共通し、対応する付加演出が異なる複数の共通変動付加パターンが含まれる。
【手続補正書】
【提出日】平成30年8月10日(2018.8.10)
【手続補正１】
【補正対象書類名】特許請求の範囲
【補正対象項目名】全文
【補正方法】変更
【補正の内容】
【特許請求の範囲】
【請求項１】
滅菌剤が収容される収容部を複数有するカートリッジの当該収容部に収容されている滅菌剤を用いて滅菌対象物を滅菌する滅菌処理を行う滅菌装置であって、
前記カートリッジの収容部を開封する開封手段と、
前記カートリッジに付されている情報であって、前記カートリッジの収容部に収容されている滅菌剤を用いた滅菌処理を行えるかを判定するための情報を読み取る読取手段と、
前記読取手段により読み取られた情報に従って、前記カートリッジの収容部に収容されている滅菌剤を用いた滅菌処理を行えるかを判定する判定手段と、
前記判定手段により、前記カートリッジの収容部に収容されている滅菌剤を用いた滅菌処理を行えないと判定された場合に、前記開封手段により開封されていない当該カートリッジの収容部を前記開封手段により開封し、当該開封された収容部に収容されている滅菌剤を排出する排出手段と、
を備えることを特徴とする滅菌装置。
【請求項２】
前記排出手段は、前記判定手段により、前記カートリッジの収容部に収容されている滅菌剤を用いた滅菌処理を行えないと判定された場合に、前記開封手段により開封されていない当該カートリッジの収容部を前記開封手段により開封し、当該開封された収容部に収容されている滅菌剤を排出する動作を、開封されていない当該カートリッジの収容部ごとに行うことを特徴とする請求項１に記載の滅菌装置。
【請求項３】
前記カートリッジが収容される収容室と、
前記収容室を減圧する減圧手段と、
を更に備え、
前記排出手段は、前記判定手段により、前記カートリッジの収容部に収容されている滅菌剤を用いた滅菌処理を行えないと判定された場合に、前記開封手段により開封されていない当該カートリッジの収容部を前記開封手段により開封した後に、前記減圧手段により前記収容室を減圧することで、当該開封された収容部に収容されている滅菌剤を排出することを特徴とする請求項１又は２に記載の滅菌装置。
【請求項４】
前記開封手段により開封された収容部に収容されている滅菌剤を吸い出す吸出し手段を更に備え、
前記排出手段は、前記判定手段により、前記カートリッジの収容部に収容されている滅菌剤を用いた滅菌処理を行えないと判定された場合に、前記開封手段により開封されていない当該カートリッジの収容部を前記開封手段により開封し、当該開封された収容部に収容されている滅菌剤を吸い出すプロセスを前記開封手段により開封されていない収容部に対して行うことで、当該開封された各収容部に収容されている滅菌剤を排出することを特徴とする請求項１乃至３の何れか１項に記載の滅菌装置。
【請求項５】
前記カートリッジに付されている情報は、前記カートリッジを製造した日、又は前記カートリッジの初回使用日を含むことを特徴とする請求項１乃至４の何れか１項に記載の滅菌装置。
【請求項６】
前記カートリッジをロックする手段と、
前記排出手段により、前記判定手段で、前記カートリッジの収容部に収容されている滅菌剤を用いた滅菌処理を行えないと判定された場合に、開封されていない当該カートリッジの収容部を前記開封手段により開封し、当該開封された収容部に収容されている滅菌剤を排出し、各収容部に収容されている滅菌剤を排出した後に、前記カートリッジのロックを解除する手段と、
を備えることを特徴とする請求項１乃至５の何れか１項に記載の滅菌装置。
【請求項７】
滅菌剤が収容される収容部を複数有するカートリッジの当該収容部に収容されている滅菌剤を用いて滅菌対象物を滅菌する滅菌処理を行う滅菌装置の制御方法であって、
前記カートリッジの収容部を開封する開封工程と、
前記カートリッジに付されている情報であって、前記カートリッジの収容部に収容されている滅菌剤を用いた滅菌処理を行えるかを判定するための情報を読み取る読取工程と、
前記読取工程により読み取られた情報に従って、前記カートリッジの収容部に収容されている滅菌剤を用いた滅菌処理を行えるかを判定する判定工程と、
前記判定工程により、前記カートリッジの収容部に収容されている滅菌剤を用いた滅菌処理を行えないと判定された場合に、前記開封工程により開封されていない当該カートリッジの収容部を前記開封工程で開封し、当該開封された収容部に収容されている滅菌剤を排出する排出工程と、
を備えることを特徴とする制御方法。
【手続補正２】
【補正対象書類名】明細書
【補正対象項目名】発明の名称
【補正方法】変更
【補正の内容】
【発明の名称】滅菌装置、及びその制御方法
【手続補正３】
【補正対象書類名】明細書
【補正対象項目名】０００１
【補正方法】変更
【補正の内容】
【０００１】
本発明は、滅菌装置、及びその制御方法に関し、特に、カートリッジから得られる滅菌剤を用いて滅菌処理を行う滅菌装置、及びその制御方法に関する。
【手続補正４】
【補正対象書類名】明細書
【補正対象項目名】００１０
【補正方法】変更
【補正の内容】
【００１０】
上記の目的を達成するため、本発明による滅菌装置は、滅菌剤が収容される収容部を複数有するカートリッジの当該収容部に収容されている滅菌剤を用いて滅菌対象物を滅菌する滅菌処理を行う滅菌装置であって、前記カートリッジの収容部を開封する開封手段と、前記カートリッジに付されている情報であって、前記カートリッジの収容部に収容されている滅菌剤を用いた滅菌処理を行えるかを判定するための情報を読み取る読取手段と、前記読取手段により読み取られた情報に従って、前記カートリッジの収容部に収容されている滅菌剤を用いた滅菌処理を行えるかを判定する判定手段と、前記判定手段により、前記カートリッジの収容部に収容されている滅菌剤を用いた滅菌処理を行えないと判定された場合に、前記開封手段により開封されていない当該カートリッジの収容部を前記開封手段により開封し、当該開封された収容部に収容されている滅菌剤を排出する排出手段と、を備えることを特徴とする。
また、本発明は、滅菌剤が収容される収容部を複数有するカートリッジの当該収容部に収容されている滅菌剤を用いて滅菌対象物を滅菌する滅菌処理を行う滅菌装置の制御方法であって、前記カートリッジの収容部を開封する開封工程と、前記カートリッジに付されている情報であって、前記カートリッジの収容部に収容されている滅菌剤を用いた滅菌処理を行えるかを判定するための情報を読み取る読取工程と、前記読取工程により読み取られた情報に従って、前記カートリッジの収容部に収容されている滅菌剤を用いた滅菌処理を行えるかを判定する判定工程と、前記判定工程により、前記カートリッジの収容部に収容されている滅菌剤を用いた滅菌処理を行えないと判定された場合に、前記開封工程により開封されていない当該カートリッジの収容部を前記開封工程で開封し、当該開封された収容部に収容されている滅菌剤を排出する排出工程と、を備えることを特徴とする。
【手続補正書】
【提出日】平成29年12月11日(2017.12.11)
【手続補正１】
【補正対象書類名】特許請求の範囲
【補正対象項目名】全文
【補正方法】変更
【補正の内容】
【特許請求の範囲】
【請求項１】
遊技の進行を制御する主制御装置と、
該主制御装置から送信された信号に応じて、演出表示装置に表示される演出を決定するサブ制御装置と、
前記演出表示装置に表示される演出に応じてポイントを付与するポイント付与手段と、
該ポイント付与手段により付与された前記ポイントに応じて遊技者に特典の付与を可能とする特典付与手段とを備え、
今回の遊技にて前記付与された前記ポイントが次回の遊技へ引き継ぎ可能な会員遊技でも、今回の遊技にて前記付与された前記ポイントが次回の遊技へ引き継ぎ不可能な一般遊技でも遊技を行うことが可能な遊技機において、
前記会員遊技には、通常会員遊技と、該通常会員遊技と前記演出が表示される確率は同じであるが、前記演出表示装置に表示される演出が同じであっても付与される前記ポイントが前記通常会員遊技よりも多い優遇会員遊技とがあり、
該優遇会員遊技へ移行させるか否かを判定する優遇会員遊技判定手段と、
前記会員遊技へ移行したことを記憶する会員遊技記憶手段とを備え、
前記優遇会員遊技判定手段は、前記会員遊技記憶手段に前記会員遊技へ移行したことが記憶されていない場合、前記会員遊技にて遊技を行う旨の指示を受けると、前記優遇会員遊技へ移行させると判定するようにし、
当該遊技機の電源投入時には、前記会員遊技記憶手段に前記会員遊技へ移行した記憶がない状態にするように設定したことを特徴とする遊技機。
【請求項２】
前記会員遊技記憶手段は、前記会員遊技へ移行した回数を記憶するようにし、
前記優遇会員遊技判定手段は、前記会員遊技へ移行した回数が所定回数以内である場合に、前記会員遊技にて遊技を行う旨の指示を受けると前記優遇会員遊技へ移行させるように判定することを特徴とする請求項１に記載の遊技機。
【請求項３】
前記優遇会員遊技へ移行してからの時間を計測する優遇会員遊技時間計測手段と、
該優遇会員遊技時間計測手段により計測された時間が所定時間に達すると、前記優遇会員遊技から前記通常会員遊技へ移行させることを特徴とする請求項１又は請求項２に記載の遊技機。
【請求項４】
前記主制御装置は、発射された遊技球が始動口に入球した際に抽出した数値データを記憶し、該記憶された数値データに基づいて当否判定を行うようにし、
当該遊技機の電源が遮断された状態でも、当該遊技機の電源が遮断される直前の記憶を保持するためのバックアップ電源を備え、
該バックアップ電源は、前記主制御装置のＲＡＭに供給されるが、前記サブ制御装置のＲＡＭには供給されないようにした弾球遊技機であり、
前記サブ制御装置に、前記優遇会員遊技判定手段と、前記会員遊技記憶手段とを設けたことを特徴とする請求項１から請求項３のいずれかに記載の遊技機。
【手続補正２】
【補正対象書類名】明細書
【補正対象項目名】００１３
【補正方法】変更
【補正の内容】
【００１３】
上記課題を解決するためになされた本発明の請求項１の遊技機は、遊技の進行を制御する主制御装置と、該主制御装置から送信された信号に応じて、演出表示装置に表示される演出を決定するサブ制御装置と、前記演出表示装置に表示される演出に応じてポイントを付与するポイント付与手段と、該ポイント付与手段により付与された前記ポイントに応じて遊技者に特典の付与を可能とする特典付与手段とを備え、今回の遊技にて前記付与された前記ポイントが次回の遊技へ引き継ぎ可能な会員遊技でも、今回の遊技にて前記付与された前記ポイントが次回の遊技へ引き継ぎ不可能な一般遊技でも遊技を行うことが可能な遊技機において、前記会員遊技には、通常会員遊技と、該通常会員遊技と前記演出が表示される確率は同じであるが、前記演出表示装置に表示される演出が同じであっても付与される前記ポイントが前記通常会員遊技よりも多い優遇会員遊技とがあり、該優遇会員遊技へ移行させるか否かを判定する優遇会員遊技判定手段と、前記会員遊技へ移行したことを記憶する会員遊技記憶手段とを備え、前記優遇会員遊技判定手段は、前記会員遊技記憶手段に前記会員遊技へ移行したことが記憶されていない場合、前記会員遊技にて遊技を行う旨の指示を受けると、前記優遇会員遊技へ移行させると判定するようにし、当該遊技機の電源投入時には、前記会員遊技記憶手段に前記会員遊技へ移行した記憶がない状態にするように設定したことを特徴とする。
【手続補正３】
【補正対象書類名】明細書
【補正対象項目名】００１５
【補正方法】変更
【補正の内容】
【００１５】
請求項１に記載の一般遊技は、「付与されたポイントが次回の遊技へ引き継ぎ不可能」としている。これは、一般遊技にて遊技を行う場合、演出表示装置に表示された演出に応じてポイントが付与されない構成にしてもよい。
しかし、一般遊技では付与されたポイントが次回の遊技へ引き継ぎ不可能であっても、演出表示装置に演出が表示されたらポイントを付与する構成が好適である。なぜなら、一般遊技においてもポイントが付与されれば、ポイントが付与されることへの面白みを遊技者は知ることができる。
【誤訳訂正書】
【提出日】平成30年5月9日(2018.5.9)
【誤訳訂正１】
【訂正対象書類名】特許請求の範囲
【訂正対象項目名】全文
【訂正方法】変更
【訂正の内容】
【特許請求の範囲】
【請求項１】
連続相とポリマーを含む不連続相とを含む親水コロイドと、
０．０５重量％以上２．０重量％以下の過酸化物と、を備え、
前記ポリマーは、前記過酸化物に結合する反応性基を含み、
前記不連続相は、水溶性ポリマー、水膨潤性吸収性ポリマー、亜鉛、親水コロイドガム、及び／又はこれらの組み合わせのうちの少なくとも１つをさらに含む、抗菌性感圧接着性組成物。
【請求項２】
前記連続相が、永久粘着感圧接着剤、スチレン含有熱可塑性エラストマー、液体ゴム、低分子量ポリイソブチレン、安定剤、低分子量液体ポリブテン、熱可塑性エラストマー、及びこれらの組み合わせのうちの少なくとも１つを含む、請求項１に記載の抗菌性感圧接着性組成物。
【請求項３】
前記熱可塑性エラストマーが、他の高分子量成分を結束する、請求項２の抗菌性感圧接着性組成物。
【請求項４】
前記水膨潤性吸収性ポリマーが、架橋カルボキシメチルセルロースナトリウム、結晶性カルボキシメチルセルロースナトリウム、及びこれらの組み合わせのうちの少なくとも１つを含む、請求項１の抗菌性感圧接着性組成物。
【請求項５】
前記水溶性ポリマーが、カルボキシメチルセルロースナトリウム、ペクチン、ゼラチン、グアーガム、アラビカガム、ローカストビーンガム、コラーゲン、カラヤガム、デンプン、及びこれらの組み合わせのうちの少なくとも１つを含む、請求項１の抗菌性感圧接着性組成物。
【請求項６】
請求項１の抗菌性感圧接着性組成物を含む、造瘻皮膚バリア。
【請求項７】
前記造瘻皮膚バリアが、匂いを防止し、ストーマ周辺の衛生を増大する、請求項６の造瘻皮膚バリア。
【請求項８】
請求項１の抗菌性感圧接着性組成物を含む、失禁用器具アタッチメント。
【請求項９】
前記失禁用器具アタッチメントが、漏出を封止し、匂いを防止し、糞便汚染を防止し、泌尿器周辺の衛生を増大するように機能する、請求項８の失禁用器具アタッチメント。
【請求項１０】
所定量の過酸化物とポリマーを含む接着材料を含み、
前記ポリマーは、前記過酸化物又は反応性中間体に結合する反応性基を含み、
前記ポリマーは、前記過酸化物と架橋する接着性器具。
【請求項１１】
前記接着性器具が、パッチ、包帯、及びブランクからなる群から選択される、請求項１０の接着性器具。
【請求項１２】
前記接着性器具がその片面に非粘着層を備える、請求項１１の接着性器具。
【請求項１３】
前記接着性器具が吸収性材料を含む、請求項１２の接着性器具。
【請求項１４】
前記接着性器具が、正方形状、矩形状、三角形状、楕円状、または円形のうちの少なくとも１つを有する事前に選択された切り抜きを含む、請求項１３の接着性器具。
【請求項１５】
２重量％〜４５重量％の１つ以上のポリイソブチレン、または１つ以上のポリイソブチレン及びブチルゴムの混和物と、
０．０１重量％〜４０重量％の鉱物油と、
１．０重量％〜３０重量％の１つ以上のスチレン放射状またはブロック型コポリマーと、
１０重量％〜６５重量％の１つ以上の水溶性親水コロイドガムと、
最大１５重量％の１つ以上の水膨潤性凝集強化剤と、
２．５重量％〜２０重量％の粘着付与剤と、
０．０１重量％〜３０重量％の超吸収性材料と、
０．０１重量％〜１０重量％の金属塩と、
０．０１重量％〜２．０重量％の酸化防止剤と、
０．０１重量％〜１０重量％の過酸化物と、を含む感圧接着性組成物であって、
前記超吸収性材料は、前記過酸化物に結合する又は前記過酸化物と架橋する反応性中間体に結合する反応性基を含み、
前記超吸収性材料は、前記過酸化物と架橋し、
前記水溶性親水コロイドガム及び前記水膨潤性凝集強化剤がまとめて、前記感圧接着性組成物のうちの１５重量％〜６５重量％で存在する、感圧接着性組成物。
【請求項１６】
前記感圧接着性組成物が、２４時間以内に大腸菌またはＭＲＳＡの５より大きい対数減少を呈する、請求項１５の感圧接着性組成物。
【請求項１７】
前記反応性中間体は、亜鉛、銅、銀、ジルコニウム、及びマグネシウムからなる群から選択される塩である、請求項１０の接着性器具。
【請求項１８】
前記反応性中間体は、亜鉛、銅、銀、ジルコニウム、及びマグネシウムからなる群から選択される塩である、請求項１５の感圧接着性組成物。
【誤訳訂正２】
【訂正対象書類名】明細書
【訂正対象項目名】００２３
【訂正方法】変更
【訂正の内容】
【００２３】
過酸化物の隔絶のために使用され得る材料は、それを必要とする対象に適用され得る任意の好適な材料を含む。一実施形態において、超吸収性材料が企図される。企図される超吸収性材料（ＳＡＭ）は、可溶性であるもの、非可溶性であるもの、粉末ベース、薄膜を形成するもの、ゲルを形成するもの、複合体であるもの、コポリマーであるもの、繊維であるもの等を含む。企図される特定のＳＡＭは、ポリアクリレート、アルギン酸塩、セルロース誘導体（カルボキシルメチセルロースなど）、あるいは過酸化物または別の反応性中間体に結合し、過酸化物含有成分と架橋する反応性基を含有する任意のポリマーを含む。本開示における使用に好適な他の反応性中間体は、安定な組成物内で過酸化物をＳＡＭに対して隔絶する能力を有する塩、あるいは他の成分または化合物を含む。本開示における使用のために好適な塩は、例えば、亜鉛、銅、銀、ジルコニウム、またはマグネシウムの塩である。
【手続補正書】
【提出日】平成30年5月25日(2018.5.25)
【手続補正１】
【補正対象書類名】特許請求の範囲
【補正対象項目名】全文
【補正方法】変更
【補正の内容】
【特許請求の範囲】
【請求項１】
遊技媒体を用いた遊技が行われることによって、所定の遊技利益を付与可能な遊技機において、
所定の演出画像を表示する演出表示装置と、
前記演出表示装置の前方に設けられ、側方から光が入射されることによって所定の絵柄が表出する導光領域が面部に形成された導光板と、
該導光板の側方に光を入射可能な発光部と、を備え、
前記導光板の面部には、該導光板とは別の部材が入り込むための孔部が形成され、
前記発光部が発光するときに、前記演出表示装置の表示領域のうち前記孔部の真後ろに対応する表示領域を含んで特定の演出画像を表示するようにした
ことを特徴とする遊技機。
【手続補正２】
【補正対象書類名】明細書
【補正対象項目名】０００７
【補正方法】変更
【補正の内容】
【０００７】
上記した目的を達成するために、請求項１に係る発明においては、
遊技媒体を用いた遊技が行われることによって、所定の遊技利益を付与可能な遊技機において、
所定の演出画像を表示する演出表示装置と、
前記演出表示装置の前方に設けられ、側方から光が入射されることによって所定の絵柄が表出する導光領域が面部に形成された導光板と、
該導光板の側方に光を入射可能な発光部と、を備え、
前記導光板の面部には、該導光板とは別の部材が入り込むための孔部が形成され、
前記発光部が発光するときに、前記演出表示装置の表示領域のうち前記孔部の真後ろに対応する表示領域を含んで特定の演出画像を表示するようにした
ことを特徴とする。
また、本発明に関連する関連発明として以下の構成を参考として開示する。
遊技媒体を用いた遊技が行われることによって、所定の遊技利益を付与可能な遊技機において、
側方から光が入射されることによって前面に所定の絵柄を表出させる導光板と、
該導光板の側方に光を入射可能な入射手段と、
前記導光板の周辺に設けられて待機位置と動作位置とに進退可能な装飾部と、駆動源からの駆動力を前記装飾部に伝達する可動伝達部と、を具備する可動手段と、を備え、
前記導光板には、前記可動手段の少なくとも一部の可動経路となる切除部が形成され、
前記可動手段が前記切除部から退避している前記待機位置の状態にて、前記切除部の後方で前記導光板に表出される絵柄に対応する補助絵柄を表出しうる補助絵柄表出手段を備えることを特徴とする。
【手続補正書】
【提出日】平成30年5月25日(2018.5.25)
【手続補正１】
【補正対象書類名】特許請求の範囲
【補正対象項目名】全文
【補正方法】変更
【補正の内容】
【特許請求の範囲】
【請求項１】
遊技媒体を用いた遊技が行われることによって、所定の遊技利益を付与可能な遊技機において、
側方から光が入射されることによって所定の絵柄が表出する導光領域が面部に形成された導光板と、
該導光板の側方に光を入射可能な複数の発光部と、を備え、
前記導光板の面部には、該導光板とは別の部材が入り込むための孔部が形成され、
前記導光領域のうちの前記孔部の周りの導光領域に対して前記複数の発光部から入射された光が導光するように、前記複数の発光部が前記導光板の外側に設けられることを特徴とする遊技機。
【手続補正２】
【補正対象書類名】明細書
【補正対象項目名】０００７
【補正方法】変更
【補正の内容】
【０００７】
上記した目的を達成するために、請求項１に係る発明においては、
遊技媒体を用いた遊技が行われることによって、所定の遊技利益を付与可能な遊技機において、
側方から光が入射されることによって所定の絵柄が表出する導光領域が面部に形成された導光板と、
該導光板の側方に光を入射可能な複数の発光部と、を備え、
前記導光板の面部には、該導光板とは別の部材が入り込むための孔部が形成され、
前記導光領域のうちの前記孔部の周りの導光領域に対して前記複数の発光部から入射された光が導光するように、前記複数の発光部が前記導光板の外側に設けられる
ことを特徴とする。
また、本発明に関連する関連発明として以下の構成を参考として開示する。
遊技媒体を用いた遊技が行われることによって、所定の遊技利益を付与可能な遊技機において、
側方から光が入射されることによって前面に所定の絵柄を表出させる導光板と、
該導光板の側方に光を入射可能な入射手段と、を備え、
前記導光板には、該導光板とは別の部材が入り込むための切除部が形成され、
前記入射手段は、
所定の部位から前記導光板の側方に光を入射可能な第１入射手段と、
該第１入射手段とは異なる部位から前記導光板の側方に光を入射可能であって、前記第１入射手段から入射された光が前記切除部により届き難くなる前記導光板の領域に対する導光を補助しうる第２入射手段と、を有することを特徴とする。
【手続補正書】
【提出日】平成30年5月9日(2018.5.9)
【手続補正１】
【補正対象書類名】特許請求の範囲
【補正対象項目名】全文
【補正方法】変更
【補正の内容】
【特許請求の範囲】
【請求項１】
記録紙を紙送りするプラテンローラを有するプラテンユニットと、
前記記録紙に対して印字を行うサーマルヘッドを有し、前記プラテンユニットに分離可能に組み合わされるヘッドユニットと、
を備えた印字ユニットにおいて、
前記ヘッドユニットは、
ヘッドフレームと、
前記記録紙を切断するカッター機構と、
前記カッター機構と前記ヘッドフレームとの間に配設された支持部材であって、該支持部材の介入によって前記カッター機構が前記ヘッドフレームに着脱可能に取り付けられ、前記カッター機構を前記ヘッドフレームに連結する連結位置、及び前記カッター機構が前記ヘッドフレームから離脱可能な連結解除位置の間で移動可能とされた支持部材と、
前記サーマルヘッドと前記支持部材との間に介在し、前記サーマルヘッドを前記プラテンローラに向けて付勢するとともに、前記支持部材を前記連結位置に向けて付勢する第１付勢部材と、
を備えていることを特徴とする印字ユニット。
【請求項２】
前記カッタ機構は、前記支持部材を介して前記ヘッドフレームに着脱自在に取り付けられている
請求項１に記載の印字ユニット。
【請求項３】
前記結合位置は、前記ヘッドフレームおよび前記カッター機構に対して、前記カッター機構が前記ヘッドフレームおよび前記支持部材に結合される位置であり、かつ、
前記連結解除位置は、前記カッター機構が前記支持部材から切り離され、前記ヘッドフレームから取り外し可能な位置である、
請求項１または２に記載の印字ユニット。
【請求項４】
前記支持部材は、前記第１付勢部材の付勢方向に沿ってスライド移動可能とされている
請求項１から請求項３の何れか１項に記載の印字ユニット。
【請求項５】
前記カッター機構は、
前記連結位置において前記支持部材に係止される支持部材用取付片と、
前記ヘッドフレームに差し込まれるフレーム用取付片と、
を備えている
請求項１から請求項４の何れか１項に記載の印字ユニット。
【請求項６】
前記カッター機構を前記ヘッドフレームから離脱する方向に向けて付勢する第２付勢部材
を備えている
請求項１から請求項５の何れか１項に記載の印字ユニット。
【請求項７】
前記支持部材は、金属材料から形成され、
前記カッター機構は、可動刃を駆動させるモータを備え、
前記モータの少なくとも一部は、前記カッター機構の前記支持部材との対向面から露出され、かつ、
前記第２付勢部材は、導電性材料からなり、前記支持部材と前記モータとに接した状態で配設されている
請求項６に記載の印字ユニット。
【請求項８】
請求項１から請求項７の何れか１項に記載の印字ユニットと、
前記印字ユニットが組み付けられたケーシングと、
を備えていることを特徴とするサーマルプリンタ。
【手続補正書】
【提出日】平成30年9月7日(2018.9.7)
【手続補正１】
【補正対象書類名】特許請求の範囲
【補正対象項目名】全文
【補正方法】変更
【補正の内容】
【特許請求の範囲】
【請求項１】
多孔質フォーム層と、前記多孔質フォーム層の一方の面側に設けられ且つ伸縮率が前記多孔質フォーム層の伸縮率よりも低い低伸縮率層と、を有する積層シートの製造方法であって、
前記製造方法が、エマルジョンと起泡剤とを含有するエマルジョン組成物を、メカニカルフロス法を用いて発泡させて発泡体を形成し、当該発泡体を硬化させる工程
を含み、
前記エマルジョン組成物が、アクリル系エマルジョンとエチレン酢酸ビニル共重合体樹脂エマルジョンと、前記エマルジョンの全量を基準として０重量％以上３０重量％未満のウレタンエマルジョンとを、混合してなり、
前記多孔質フォーム層が、自己粘着性を有することを特徴とする、積層シートの製造方法。
【請求項２】
前記多孔質フォーム層が、半連続気泡構造であることを特徴とする、請求項１に記載の積層シートの製造方法。
【請求項３】
前記エマルジョン組成物が、前記エマルジョンの全量を基準として、１０重量％超９０重量％以下のアクリル系エマルジョンと１０重量％以上９０重量％未満のエチレン酢酸ビニル共重合体樹脂エマルジョンとを、混合してなることを特徴とする、請求項１又は２に記載の積層シートの製造方法。
【請求項４】
前記エマルジョン組成物が、架橋剤を更に含有し、
前記工程において、エネルギーを印加して前記エマルジョンを構成する樹脂を前記架橋剤を介して架橋させることにより、前記発泡体を硬化させることを特徴とする、請求項１〜３のいずれか一項に記載の積層シートの製造方法。
【請求項５】
前記積層シートが、前記多孔質フォーム層の前記低伸縮率層側に、更にその他の層を有する、請求項１〜４のいずれか一項に記載の積層シートの製造方法。
【請求項６】
前記低伸縮率層又は前記その他の層が、印刷層、反射層、又は、ホワイトボードとしての機能を有する層である、請求項１〜５のいずれか一項に記載の積層シートの製造方法。
【請求項７】
前記積層シートが、陶磁器、金属、プラスティック、及び、ガラス、並びに、これらの表面処理品用である、請求項１〜６のいずれか一項に記載の積層シートの製造方法。
【請求項８】
前記積層シートが、ガラス及び表面処理ガラス用であり、且つ、遮光用である、請求項１〜７のいずれか一項に記載の積層シートの製造方法。
【請求項９】
前記積層シートが、断熱性を有することを特徴とする、請求項１〜８のいずれか一項に記載の積層シートの製造方法。
【請求項１０】
エマルジョンを用いて得られたアクリルフォームと、
前記アクリルフォームの一方の面側に設けられ且つ伸縮率が前記アクリルフォームの伸縮率よりも低い低伸縮率層と
を有する積層シートであって、
前記エマルジョンは、アクリル系エマルジョンとエチレン酢酸ビニル共重合体樹脂エマルジョンを含有し、
前記アクリルフォームの他方の面側は、自己粘着性を有する
積層シート。
【請求項１１】
前記エマルジョンは、前記エマルジョンの全重量を基準として、２５〜８０重量％のアクリル系エマルジョンを含有し、２０〜７５重量％のエチレン酢酸ビニル共重合体樹脂エマルジョンを含有する、請求項１０記載の積層シート。
【請求項１２】
前記低伸縮率層の、前記アクリルフォーム層が設けられた面側の反対の面側に、更にその他の層を有する、請求項１０又は１１に記載の積層シート。
【請求項１３】
前記低伸縮率層又は前記その他の層が、印刷層、反射層、又は、ホワイトボードとしての機能を有する層である、請求項１０〜１２のいずれか一項に記載の積層シート。
【手続補正書】
【提出日】平成30年8月10日(2018.8.10)
【手続補正１】
【補正対象書類名】特許請求の範囲
【補正対象項目名】全文
【補正方法】変更
【補正の内容】
【特許請求の範囲】
【請求項１】
所定条件の成立に基づいて始動情報を取得し、当該取得された始動情報に基づいて抽選を実行するとともに動的表示を実行可能とする遊技機であって、
前記動的表示が開始されるまで前記始動情報を記憶する保留記憶手段と、
前記始動情報に含まれる少なくとも前記抽選に必要な判定情報を一時的に記憶する判定情報記憶手段と、
前記判定情報記憶手段に記憶された判定情報に基づいて、前記抽選を実行する抽選手段と、
前記動的表示の開始時に、前記動的表示を開始する始動情報に含まれる判定情報を一時的に前記判定情報記憶手段に記憶し、前記抽選手段によって抽選を実行する動的表示時判定手段と、
前記動的表示が開始される前に、前記保留記憶手段に記憶される始動情報に含まれる判定情報を一時的に前記判定情報記憶手段に記憶し、前記抽選手段によって前記抽選の結果を事前に判定する事前判定手段と、
を備え、
前記動的表示時判定手段による抽選の判定と、前記事前判定手段による抽選の判定とを実行する処理が共通であることを特徴とする遊技機。
【手続補正２】
【補正対象書類名】明細書
【補正対象項目名】０００６
【補正方法】変更
【補正の内容】
【０００６】
本発明の代表的な一形態では、所定条件の成立に基づいて始動情報を取得し、当該取得された始動情報に基づいて抽選を実行するとともに動的表示を実行可能とする遊技機であって、前記動的表示が開始されるまで前記始動情報を記憶する保留記憶手段と、前記始動情報に含まれる少なくとも前記抽選に必要な判定情報を一時的に記憶する判定情報記憶手段と、前記判定情報記憶手段に記憶された判定情報に基づいて、前記抽選を実行する抽選手段と、前記動的表示の開始時に、前記動的表示を開始する始動情報に含まれる判定情報を一時的に前記判定情報記憶手段に記憶し、前記抽選手段によって抽選を実行する動的表示時判定手段と、前記動的表示が開始される前に、前記保留記憶手段に記憶される始動情報に含まれる判定情報を一時的に前記判定情報記憶手段に記憶し、前記抽選手段によって前記抽選の結果を事前に判定する事前判定手段と、備え、前記動的表示時判定手段による抽選の判定と、前記事前判定手段による抽選の判定とを実行する処理が共通であることを特徴とする。
【手続補正３】
【補正対象書類名】明細書
【補正対象項目名】０００７
【補正方法】削除
【補正の内容】
【手続補正書】
【提出日】平成30年8月10日(2018.8.10)
【手続補正１】
【補正対象書類名】特許請求の範囲
【補正対象項目名】全文
【補正方法】変更
【補正の内容】
【特許請求の範囲】
【請求項１】
所定条件の成立に基づいて始動情報を取得し、当該取得された始動情報に基づいて抽選を実行するとともに動的表示を実行可能とする遊技機であって、
前記動的表示が開始されるまで前記始動情報を記憶する保留記憶手段と、
前記始動情報に基づいて、前記抽選を実行する抽選手段と、
前記動的表示の開始時に、前記抽選手段によって開始時抽選を実行する動的表示時判定手段と、
前記動的表示が開始される前に、前記抽選手段によって事前抽選を実行する事前判定手段と、
を備え、
前記動的表示時判定手段は、
前記動的表示を開始する始動情報を動的表示時始動情報記憶領域に記憶し、
前記動的表示時始動情報記憶領域を指定して前記抽選手段による前記開始時抽選を実行し、
前記事前判定手段は、
前記保留記憶手段に格納される始動情報を事前判定時始動情報記憶領域に記憶し、
前記事前判定時始動情報記憶領域を指定して前記抽選手段による前記事前抽選を実行し、
前記抽選手段は、指定された始動情報記憶領域に記憶された始動情報により前記開始時抽選又は前記事前抽選のいずれかを実行し、
前記事前判定手段によって指定される前記事前判定時始動情報記憶領域と前記動的表示時判定手段によって指定される前記動的表示時始動情報記憶領域は、共通の記憶領域であることを特徴とする遊技機。
【手続補正２】
【補正対象書類名】明細書
【補正対象項目名】０００６
【補正方法】変更
【補正の内容】
【０００６】
本発明の代表的な一形態では、所定条件の成立に基づいて始動情報を取得し、当該取得された始動情報に基づいて抽選を実行するとともに動的表示を実行可能とする遊技機であって、前記動的表示が開始されるまで前記始動情報を記憶する保留記憶手段と、前記始動情報に基づいて、前記抽選を実行する抽選手段と、前記動的表示の開始時に、前記抽選手段によって開始時抽選を実行する動的表示時判定手段と、前記動的表示が開始される前に、前記抽選手段によって事前抽選を実行する事前判定手段と、を備え、前記動的表示時判定手段は、前記動的表示を開始する始動情報を動的表示時始動情報記憶領域に記憶し、前記動的表示時始動情報記憶領域を指定して前記抽選手段による前記開始時抽選を実行し、前記事前判定手段は、前記保留記憶手段に格納される始動情報を事前判定時始動情報記憶領域に記憶し、前記事前判定時始動情報記憶領域を指定して前記抽選手段による前記事前抽選を実行し、前記抽選手段は、指定された始動情報記憶領域に記憶された始動情報により前記開始時抽選又は前記事前抽選のいずれかを実行し、前記事前判定手段によって指定される前記事前判定時始動情報記憶領域と前記動的表示時判定手段によって指定される前記動的表示時始動情報記憶領域は、共通の記憶領域であることを特徴とする。
【手続補正３】
【補正対象書類名】明細書
【補正対象項目名】０００７
【補正方法】削除
【補正の内容】
【手続補正書】
【提出日】平成30年1月15日(2018.1.15)
【手続補正１】
【補正対象書類名】特許請求の範囲
【補正対象項目名】全文
【補正方法】変更
【補正の内容】
【特許請求の範囲】
【請求項１】
手で握ることが可能な筒状又は柱状に延びる握り部材を備え、
前記握り部材は、手で握る際に中指が配置される部分のみが窪む凹部を有し、
前記握り部材を立てた状態で人の前方で前記握り部材を握る場合に、前記握り部材の前方は人の前方に対応し、前記握り部材の後方は人の後方に対応しており、
前記運動補助器具は、前記握り部材の後方側の下部に配置される第１ウエイト部材を更に備える
運動補助器具。
【請求項２】
手で握ることが可能な筒状又は柱状に延びる握り部材を備え、
前記握り部材は、手で握る際に中指が配置される部分のみが窪む凹部を有し、
前記握り部材を立てた状態で人の前方で前記握り部材を握る場合に、前記握り部材の前方は人の前方に対応し、前記握り部材の後方は人の後方に対応しており、
前記運動補助器具は、前記握り部材の後方側に配置される第２ウエイト部材であって前記握り部材の長手方向に延びる第２ウエイト部材を更に備える
運動補助器具。
【請求項３】
手で握ることが可能な筒状又は柱状に延びる握り部材を備え、
前記握り部材は、手で握る際に中指が配置される部分のみが窪む凹部を有し、
前記握り部材を立てた状態で人の前方で前記握り部材を握る場合に、前記握り部材の前方は人の前方に対応し、前記握り部材の後方は人の後方に対応し、前記握り部材の外方は、人の左右方向のいずれか一方の外方に対応しており、
前記運動補助器具は、前記握り部材の一方の外方側の側部に配置される第３ウエイト部材であって前記握り部材の長手方向に延びる第３ウエイト部材を更に備える
運動補助器具。
【請求項４】
手で握ることが可能な筒状又は柱状に延びる握り部材を備え、
前記握り部材は、手で握る際に中指が配置される部分のみが窪む凹部を有し、
前記握り部材を握る場合に、薬指と小指との間に配置される突出部を更に備える
運動補助器具。
【請求項５】
手で握ることが可能な筒状又は柱状に延びる握り部材を備え、
前記握り部材は、手で握る際に中指が配置される部分のみが窪む凹部を有し、
前記握り部材を立てた状態で人の前方で前記握り部材を握る場合に、前記握り部材の前方は人の前方に対応し、前記握り部材の後方は人の後方に対応しており、
前記運動補助器具は、前記握り部材の後方側に配置されるホルダーであって上方へ立てた状態の親指を覆うホルダーを更に備える
運動補助器具。
【請求項６】
前記運動補助器具は、前記ホルダーの後方側に配置される第４ウエイト部材を更に備える
請求項５に記載の運動補助器具。